(57)【要約】【課題】配線ダクトを複数のダクト固定部材にてデスクに固定することに起因する施工の手間やダクト固定部材の費用の増加をなくし、且つ、使い勝手を損ねてしまうことのない配線ダクトを備えたデスクパーテーションへの配線ダクト組み込みによる電源供給システムを提供する。【解決手段】デスク１上にパーテーション２を設置する。前記パーテーション２に、長尺中空のダクト本体３１に長手方向に開口部３２を形成し且つ内部に長尺の導体３３を備えると共に前記開口部３２に電気機器４をその栓刃４０が前記導体３３に接触するように装着可能とした配線ダクト３を取り付ける。【選択図】        図１
2010000303.tif 000002
【特許請求の範囲】
【請求項１】
デスク上にパーテーションを設置し、前記パーテーションに、長尺中空のダクト本体に長手方向に開口部を形成し且つ内部に長尺の導体を備えると共に前記開口部に電気機器をその栓刃が前記導体に接触するように装着可能とした配線ダクトを取り付けて成ることを特徴とするデスクパーテーションへの配線ダクト組み込みによる電源供給システム。
【請求項２】
パーテーションをデスクに対して着脱自在に取り付けて成ることを特徴とする請求項１記載のデスクパーテーションへの配線ダクト組み込みによる電源供給システム。
【請求項３】
配線ダクトに該配線ダクトの導体に給電するための電源フィードインを装着して成ることを特徴とする請求項１又は２記載のデスクパーテーションへの配線ダクト組み込みによる電源供給システム。
【請求項４】
配線ダクトに装着された電源フィードインを覆い隠すフィードインカバーを設けて成ることを特徴とする請求項３記載のデスクパーテーションへの配線ダクト組み込みによる電源供給システム。
【発明の詳細な説明】
【技術分野】
【０００１】
本発明は、デスク上に設置するパーテーションへ配線ダクトを組み込んでなる電源供給システムに関するものである。
【背景技術】
【０００２】
従来より、デスク上に配線ダクトを設置し、配線ダクトに電源コンセント等の電気機器を装着して使用するものが知られている。配線ダクトは、内部空間にダクトの長手方向に沿って二極または多極の導体を配設してなるもので、配線ダクトに例えば電気機器として前記電源コンセントを装着し、この電源コンセントにパーソナルコンピュータ（略してＰＣという）等の電源プラグを挿着して給電を行ったりするものである。
【０００３】
従来は図６に示すように、デスク１の天板１０に、ダクト固定部材９の下端部に設けてあるデスククランプ部９１にてクランプさせて固定することで、ダクト固定部材９をデスク１の天板１０から上方に向けて突設し、このダクト固定部材９の上端部に設けてあるダクトクランプ部９２にて配線ダクト３をクランプさせて固定することで、配線ダクト３をデスク１上に設置している。
【０００４】
上述した従来の配線ダクト３にあっては、長手方向に複数のダクト固定部材９が必要となり、長手方向の長さが長くなるに従って必要なダクト固定部材９の個数が増加し、ダクト固定部材９の費用が増加すると共に、ダクト固定部材９毎にデスク１と配線ダクト３とに対するクランプの調整を要するため、ダクト固定部材９の個数が増加すると施工に手間が掛かるものであり、また、配線ダクト３を移動させる場合には、再度ダクト固定部材９毎にデスク１と配線ダクト３とに対するクランプの調整を要して手間が掛かる、といった問題があった。
【０００５】
このような問題を解決する一形態として、デスクパーテーションに電源コンセント等の電気機器を装着したものが考案されている（例えば特許文献１参照）。
【０００６】
特許文献１に示されるものにあっては、デスクトップパネル（デスクパーテーション）に、左右の長さがデスクトップパネルの左右の長さと略同じでコンセントを装着した蓋部を取り付けることで、コンセントを配置している。しかしながら、特許文献１に示されるものは、配線ダクトを備えたものではないため、コンセントの位置を容易に変更したりすることができず、使い勝手が悪いという問題があった。
【特許文献１】特開平９−１３１２２６号公報
【発明の開示】
【発明が解決しようとする課題】
【０００７】
本発明は上記従来の問題点に鑑みて発明したものであって、その目的とするところは、配線ダクトを複数のダクト固定部材にてデスクに固定することに起因する施工の手間やダクト固定部材の費用の増加をなくし、且つ、使い勝手を損ねてしまうことのないデスクパーテーションへの配線ダクト組み込みによる電源供給システムを提供することを課題とするものである。
【課題を解決するための手段】
【０００８】
上記課題を解決するために請求項１に係る発明にあっては、デスク１上にパーテーション２を設置し、前記パーテーション２に、長尺中空のダクト本体３１に長手方向に開口部３２を形成し且つ内部に長尺の導体３３を備えると共に前記開口部３２に電気機器４をその栓刃４０が前記導体３３に接触するように装着可能とした配線ダクト３を取り付けて成ることを特徴とするものである。
【０００９】
また、請求項２に係る発明は、請求項１に係る発明において、パーテーション２をデスク１に対して着脱自在に取り付けて成ることを特徴とするものである。
【００１０】
また、請求項３に係る発明は、請求項１又は２に係る発明において、配線ダクト３に該配線ダクト３の導体３３に給電するための電源フィードイン５を装着して成ることを特徴とするものである。
【００１１】
また、請求項４に係る発明は、請求項３に係る発明において、配線ダクト３に装着された電源フィードイン５を覆い隠すフィードインカバー５１を設けて成ることを特徴とするものである。
【発明の効果】
【００１２】
請求項１記載の発明においては、従来のようなダクト固定部材が不要となり、ダクト固定部材を準備する必要がなくて費用が掛からないと共に、ダクト固定部材毎にデスクと配線ダクトとに対するクランプの調整も必要なくて、施工に手間が掛からないものである。
【００１３】
請求項２記載の発明においては、配線ダクトを移動させる場合には、パーテーションを移動させることで、パーテーションに取り付けた配線ダクトも一緒に移動させることができ、従来のように再度ダクト固定部材毎にデスクと配線ダクトとに対するクランプの調整を要して手間が掛かる、といったことがない。
【００１４】
請求項３記載の発明においては、容易に配線ダクトの導体に電力を供給することが可能となる。
【００１５】
請求項４記載の発明においては、見栄えを向上させると共に、電源フィードインが直接見えてしまって、いたずらで電源フィードインが抜かれたりするのを防止することができる。
【発明を実施するための最良の形態】
【００１６】
以下、本発明の一実施形態について図１乃至図５に基づいて説明する。
【００１７】
本発明の電源供給システムは、図１に示すように、デスク１上にデスクパーテーション（以下、単にパーテーション２という）を設置し、前記パーテーション２に、長尺中空のダクト本体３１に長手方向に開口部３２を形成すると共に、内部に長尺の導体３３を備え配線ダクト３を取り付けてなるものである。なお、以下の説明では便宜上、図２（ａ）に示す向きにおいて上下左右の方向を規定し、図２（ａ）中の正面を前面として説明を行う。
【００１８】
配線ダクト３は、図１乃至図３に示すようにアルミニウムなどの金属により長手方向の両端が開口した扁平な角筒状に形成され、表面が絶縁性の合成樹脂でコーティングされたダクト本体３１を備えている。ダクト本体３１の前面には、上下方向の略中間部に、内部の電源スペース３０と外部とを連通する開口部３２が長手方向に沿って開口している。またダクト本体３１の電源スペース３０には、開口部３２を間にして上下両側に、商用電源を給電するための一対の長尺の導体３３が長手方向に沿って配置されている。なおダクト本体３１の下側に、情報線などのケーブルを収納する収納部（図示せず）を設けても良い。
【００１９】
配線ダクト３の開口部３２には電気機器４が装着される。電気機器４は、図１乃至図３に示すように、一対の栓刃４０を備えており、配線ダクト３の開口部３２に装着された時に該配線ダクト３の導体３３に栓刃４０が接触して給電を受けるもので、本実施形態では電源コンセント４ａとして説明するが、特に限定されない。電源コンセント４ａの器体は、背面が開口した横長の箱状の前カバー４１と、前カバー４１の背面に取着される後カバー４２とで構成される。
【００２０】
前カバー４１の前面には、各一対の栓刃挿入口４４を備えたコンセント部４３が長手方向の一端側と中間部とにそれぞれ形成されている。前記栓刃挿入口４４には、配線ダクト３に装着される電気機器４とは別の電気機器８、例えばＰＣ等の電気機器８の電線８１の電源プラグ８２の栓刃（図示せず）が挿入され、この電気機器８に電源コンセント４ａを介して配線ダクト３の導体３３から電力が供給される。
【００２１】
また電源コンセント４ａの背部には、図２、図３に示すように、開口部３２を通してダクト本体３１の内部に挿入される筒状の回転体４５が回転自在に設けられており、回転体４５を回転させるための摘み４７が前カバー４１の前面に配置されている。回転体４５の周面には、回転体４５の中心部を挟んで対称な位置に一対の栓刃４０が突設されており、摘み４７の回転操作に応じて一対の栓刃４０が水平方向（ダクト本体３１の長手方向と略平行な方向）に並ぶ状態と、垂直方向（ダクト本体３１の短幅方向と略平行な方向と）に並ぶ状態とを選択できるようになっている。また回転体４５の周面には、各栓刃４０の突設位置よりも前方寄りの位置に係止片４６がそれぞれ突設されている。而して、回転体４５を開口部３２内に挿入した状態で一対の栓刃４０が垂直方向（上下方向）に並ぶ位置まで摘み４７を回すと、係止片４６と後カバー４２の背面との間にダクト本体３１の前壁が挟持されて、電源コンセント４ａの器体がダクト本体３１に取着されるとともに、各栓刃４０がダクト本体３１内部に配置された導体３３に電気的に接続されるようになっている。
【００２２】
また、電源コンセント４ａの器体には、図２、図３に示すように、各栓刃挿入口４４を通して器体内部に挿入される栓刃４０に電気的に接続される一対の刃受ばね４８が納装されており、各刃受ばね４８は回転体４５に突設された栓刃４０に電気的に接続されている。
【００２３】
上記の配線ダクト３は、パーテーション２に取り付けられる。パーテーション２は、図１、図４に示すように、デスク１の上面に設置されてデスク１上を仕切るもので、本実施形態ではデスク１に対して着脱自在に取り付けられる。このパーテーション２は、正面視略矩形状をした本体板部２１と、本体板部２１の下端部から下方に突出する脚部２２と、で主体が構成される。またデスク１には、上記パーテーション２の脚部２２を支持するためのパーテーション支持部１１を設けるもので、本実施形態ではデスク１の上面に上記脚部２２を嵌入して固定する嵌入部を設けてパーテーション支持部１１を形成してあり、パーテーション２の脚部２２を前記嵌入部に着脱自在に装着するものである。
【００２４】
このパーテーション２に、上述した配線ダクト３を取り付けるもので、本実施形態では、パーテーション２の本体板部２１の下端部に、配線ダクト３の背面（即ち、開口部３２を形成した面と反対側の面）を固定して取り付けている。配線ダクト３は、ダクト本体３１の背面に長手方向の複数個所に貫通孔３１ａを穿孔してあり、この貫通孔３１ａに固着具（図示せず）を挿通してパーテーション２の本体板部２１の螺着孔（図示せず）に螺着している。
【００２５】
そして、配線ダクト３の長手方向の端部の開口に、商用電源等からの電力線５０に接続されている電源フィードイン５を嵌入して装着し、その接触端子（図示せず）を配線ダクト３の導体３３に接触させる。また、配線ダクト３の長手方向の前記電源フィードイン５を装着した側と反対側の端部には、該配線ダクト３の端部の開口を閉塞するエンドキャップ６を取着して、端末の開口を閉塞している。電源フィードイン５により導体３３に電力を供給するようにしたことで、容易に電力の供給が行えるものである。また、ダクト本体３１の開口部３２には、電源コンセント４ａが取着されていない部位にダクトカバー７を取り付けてあり、開口部３２を閉塞している。また本実施形態では、電源フィードイン５の前面側に、ダクトカバー７と同様の外観のフィードインカバー５１を設けて、ダクトカバー７と連続させて見栄えを向上させると共に、電源フィードイン５が直接見えてしまって、いたずらで電源フィードイン５が配線ダクト３から抜かれたりするのを防止することができる。
【００２６】
電源コンセント４ａを配線ダクト３に取り付けた状態では、電源コンセント４ａの刃受ばね４８が、給電コネクタを介して配線ダクト３の導体３３に電気的に接続されるので、コンセント部４３に接続される電気機器４に対して商用電源を供給することができる。
【００２７】
なお、電源コンセント４ａを配線ダクト３から取り外す際には、電源コンセント４ａの摘み４７を操作して、栓刃４０が水平方向に並ぶ位置まで回転体４５を回転させると、回転体４５の周面に突設された係止片４６が水平方向に並ぶ位置まで回転するので、係止片４６による係止が解除され、電源コンセント４ａを配線ダクト３から取り外すことができる。
【００２８】
上述したように、デスク１上に設置するパーテーション２に配線ダクト３を取り付けたことで、従来のようなダクト固定部材９が不要となり、ダクト固定部材９を準備する必要がなくてダクト固定部材９の費用が掛からずに済むと共に、ダクト固定部材９毎にデスク１と配線ダクト３とに対するクランプの調整も必要なくて、施工に手間が掛からないものである。また、配線ダクト３を移動させる場合には、図５に示すように、パーテーション２を移動させることで、パーテーション２に取り付けた配線ダクト３も一緒に移動させることができ、従来のように再度ダクト固定部材９毎にデスク１と配線ダクト３とに対するクランプの調整を要して手間が掛かる、といったこともないものである。
【図面の簡単な説明】
【００２９】
【図１】本発明の一実施形態の一部分解した斜視図である。
【図２】同上における電気機器（電源コンセント）を装着した配線ダクトを示し、（ａ）は正面図であり、（ｂ）は側断面図である。
【図３】同上における電気機器及び配線ダクトの斜視図である。
【図４】同上において電気機器（電源コンセント）に別の電気機器を接続した状態の斜視図である。
【図５】同上において配線ダクトごとパーテーションを移動させる場合の説明図である。
【図６】従来の配線ダクトを設けたデスクの説明図である。
【符号の説明】
【００３０】
１    デスク
１０  天板
１１  パーテーション支持部
２    パーテーション
２１  本体板部
２２  脚部
３    配線ダクト
３０  電源スペース
３１  ダクト本体
３１ａ  貫通孔
３２  開口部
３３  導体
４    電気機器
４ａ  電源コンセント
４０  栓刃
４１  前カバー
４２  後カバー
４３  コンセント部
４４  栓刃挿入口
４５  回転体
４６  係止片
４７  摘み
４８  刃受ばね
５    電源フィードイン
５０  電力線
５１  フィードインカバー
６    エンドキャップ
７    ダクトカバー
８    別の電気機器
８１  電線
８２  電源プラグ
９    ダクト固定部材
９１  デスククランプ部
９２  ダクトクランプ部
【図１】
2010000303.tif 000003
【図２】
2010000303.tif 000004
【図３】
2010000303.tif 000005
【図４】
2010000303.tif 000006
【図５】
2010000303.tif 000007
【図６】
2010000303.tif 000008